(57)【要約】【課題】より正確にパット可能な視覚効果を有するパターを提供する。【解決手段】水平面ＨＬ上に設定ライ角通りに載置したパターのフェース面１０Ｆにはロフト角が正の値として存在し、トウ・ヒール方向中央位置を含む中央領域１２において、前記水平面から測ったフェース面の上端縁１２Ｕまでの距離は前記中央位置ＣＬにおいて最も長く、トウ側又はヒール側に行くに従って漸次滑らかに短くなっており、更には、フェース面の該中央領域に続くトウ部寄り領域１４とヒール部寄り領域１４’とが、各端１０Ｔ，１０Ｈの方向に行くに従って、前記水平面から測った各上端縁１４Ｕ，１４Ｕ’までの距離が増大するか又は一定であるよう構成する。【選択図】図１
2007260202.tif 000002
【特許請求の範囲】
【請求項１】
水平面上に設定ライ角通りに載置したパターのフェース面にはロフト角が正の値として存在し、トウ・ヒール方向中央位置を含む中央領域において、前記水平面から測ったフェース面の上端縁までの距離は前記中央位置において最も長く、トウ側又はヒール側に行くに従って漸次滑らかに短くなっており、更には、フェース面の該中央領域に続くトウ部寄り領域とヒール部寄り領域とが、夫々の端の方向に行くに従って前記水平面から測った各上端縁までの距離が増大するか又は一定であることを特徴とするパター。
【請求項２】
前記中央領域のトウ・ヒール方向長さは、ゴルフボールの直径に対して、０．７〜１．４倍の範囲である請求項１記載のパター。
【発明の詳細な説明】
【技術分野】
【０００１】
本発明は、ゴルフクラブの中のパターに関する。
【背景技術】
【０００２】
ゴルフにおいて、パターを使ってボールをカップインさせる打撃（パット）の際は、ボールを如何にフェース面のトウ・ヒール方向中央位置に正確に当てるかがポイントとなる。このため、ゴルファーがパターを構えた際に、そのフェース面のトウ・ヒール方向中央に、ボールがあたかも吸い込まれるように感じることができれば、パットのコントロールが正確になる。
ちなみに、パット方向を定めるために、下記特許文献１にはトウ部とヒール部を傾斜状に形成したパターが提案されている。また、下記特許文献２では、所定ライ角のパターではフェース面の向きが判り難いため、トップブレード上面をヒール側からトウ側に向けて徐々に高くなる傾斜面を設けたパターを提案し、これにより視認性を向上させてパットを安定させることが開示されている。
【特許文献１】特開２００４−１４１５９４号公報
【特許文献２】特開２００２−８５６０５号公報
【発明の開示】
【発明が解決しようとする課題】
【０００３】
本発明は、上記各文献に開示の構造とは全く異なる構造により、パットの正確さを期そうとするものである。パターを構えた際に、ゴルファーは上方からそのヘッドを見下ろすが、その見え方が、あたかもフェース面のトウ・ヒール方向中央が最も窪んで見え、ボールがあたかもここに吸い込まれるように感じることができれば、パットの正確性が向上する。
依って解決しようとする課題は、より正確にパット可能な視覚効果を有するパターの提供である。
【課題を解決するための手段】
【０００４】
第１の発明では、水平面上に設定ライ角通りに載置したパターのフェース面にはロフト角が正の値として存在し、トウ・ヒール方向中央位置を含む中央領域において、前記水平面から測ったフェース面の上端縁までの距離は前記中央位置において最も長く、トウ側又はヒール側に行くに従って漸次滑らかに短くなっており、更には、フェース面の該中央領域に続くトウ部寄り領域とヒール部寄り領域とが、夫々の端の方向に行くに従って前記水平面から測った各上端縁までの距離が増大するか又は一定であることを特徴とするパターを提供する。
夫々の端とは、トウ部寄り領域ではトウ部であり、ヒール部寄り領域ではヒール部である。
【０００５】
第２の発明では、前記中央領域のトウ・ヒール方向長さは、ゴルフボールの直径に対して、０．７〜１．４倍の範囲である第１発明記載のパターを提供する。
【発明の効果】
【０００６】
第１の発明では、パターを設定ライ角通りに載置して構えた際、ロフト角が存在すると共にフェース面の上縁までの距離が上記の如く変化しているため、フェース面の上縁ラインが以下の如く見え、また、フェース面の下縁はゴルファーの目から遠いことと、実際のゴルフ時には芝生に隠れるため、この上縁ラインがボールの打撃ラインのように（錯覚して）見える。即ち、中央領域では、中央位置が最もバック側に窪んでいるように見え、しかも、その周辺領域の上縁ラインは漸次滑らかに変化しているので、ゴルファーにとってボールをその窪んだように見える中央位置に取り込むように意識でき、これにより自然にコントロールできて正確なパットに繋がる。更には、トウ部寄り領域とヒール部寄り領域とにおいて、各端方向に行くに従って前記距離が増大するか又は一定であるため、これらの領域ではフェース面の上縁ラインが漸次バック側に退避して行くか、又は一定であるため、結局、ゴルファーにとっては前記中央領域のみを打撃部分と強く意識でき、実際のパターのトウ・ヒール方向長さよりも短い中央領域で打撃しようとする意志が働き、正確なパッティングコントロールに結びつく。仮に、この中央領域を外れてパッテイングしても、実際は、トウ部寄り領域とヒール部寄り領域のフェース面部分が平面として存在しているため、大きくパットし損ねることもない。
【０００７】
第２の発明では、打撃しようとする中央領域の幅がボール１個分程度であるため、パットコントロールにとって小さ過ぎず大き過ぎず、コントロールし易い。
【発明を実施するための最良の形態】
【０００８】
以下、本発明を図面を用いて詳細に説明する。図１は、本発明に係るパターのシャフト止着部２０Ｓに装着されたシャフト２０を持って、所定ライ角でソール部１０Ｓを水平面ＨＬ上に載置してヘッドとその近くを正面から見た正面図、図２はヒール側から見た側面図、図３は上から見た平面図、図４は図１の矢視線Ｄ−Ｄによる断面図である。ヘッド１０の、例えば、２．５〜７度の範囲内のロフト角αを有するフェース面１０Ｆは、クラウン部１０Ｃよりも上方に突出して板状に形成されたブレード部１２Ｂ，１４Ｂ，１４Ｂ’の表側の面に連続延伸している。
【０００９】
フェース面１０Ｆは、トウ・ヒール方向中央位置ＣＬの近くであり、同方向の幅Ｌを有する中央領域１２と、そのトウ部１０Ｔ寄りの領域１４と、ヒール部１０Ｈ寄りの領域１４’とを有している。この例では、ライ角通りに載置されると、上記クラウン部１０Ｃの面は水平面であり、上記中央領域１２は、その上縁ライン１２Ｕが滑らかに湾曲した三日月状領域がこのクラウン部の上に延伸形成されたものであり、トウ部寄りの領域１４と、ヒール部寄りの領域１４’とは、夫々、三角形状領域がクラウン部の上に延伸形成されたものである。幅Ｌは３０〜６０ｍｍが好ましく、ボールの直径が４２．７ｍｍ故、直径の０．７〜１．４倍程度が好ましいといえる。
【００１０】
詳細には、水平面ＨＬから上縁までの距離は、中央領域１２は、中央位置ＣＬにおいて最大であり、トウ側とヒール側に行くに従って漸次滑らかに減少している。この減少し切った位置から始まるトウ部寄りの領域１４では、その上縁１４Ｕは、角度θの傾斜でトウ部１０Ｔの方向に行くに従って漸次増大している。また、中央領域の前記距離が減少し切った位置から始まるヒール部寄りの領域１４’では、上縁１４Ｕ’は、前記角度θと同程度の角度でヒール部の方向に行くに従って漸次増大している。この角度θは１０〜４５度程度が好ましい。
【００１１】
フェース面は、その周辺縁部近く以外は実質的に平面であるため、フェース面の上縁までの距離が長くなればなる程、図３においてその上縁ラインは、よりバック部１０Ｂ側に位置する。従って、中央領域１２の上縁１２Ｕは、前記中央位置ＣＬを中心としてバック部側に湾曲して窪んで見える。また、トウ部寄り領域１４の上縁１４Ｕは、中央領域の上縁１２Ｕとの接続部が最も前側に位置し、そこから直線状にバック部側に傾斜する。ヒール部寄り領域１４’の上縁１４Ｕ’も同様である。この傾斜によって、中央領域がより窪んで見えることになる。また、トウ側とヒール側がバック側に傾斜して見えるため、ストローク中（スイング中）にフェースの向きが変わっても、ゴルファーから見て、打撃するボールよりも各側端部が後方に位置しているため、気になり難く、無理なフェースコントロールをしてより大きく方向が変わることを防止できる。
【００１２】
上記の構造であるため、既述の作用効果によってゴルファーにとって正確なパッティングコントロールに結びつく。また、各上縁１２Ｕ，１４Ｕ，１４Ｕ’を有するブレード部は、その厚さが２〜１０ｍｍであることが好ましい。２ｍｍより薄いと、ゴルファーにとって視認し難く、１０ｍｍより厚いと、その重量増加のためにヘッド重心が高くなり過ぎるからである。更には、ロフト角αは既述の２．５〜７度の範囲が好ましい。２．５度よりも小さいと、上から見た図３の状態において、上縁ラインの湾曲変化が視認し難く、発明の効果が小さくなる。７度よりも大きいと、パット時にボールにバックスピンが掛かり過ぎ、転がり難くなるからである。ブレード部の視認性を向上させるために、各ブレード部は同じ肉厚であることが好ましい。また、クラウン部から上に延伸することが好ましい。高低差を付けられるからである。また、各ブレード部の上縁面はクラウン部と異なる色とするのが、上から見た際の視認性向上のため好ましく、また、フェース面とも異なる色にすることが更に好ましい。
【００１３】
この他、本実施形態例のゴルフクラブヘッドにはその他の特徴があるので、それを説明する。バック部１０Ｂ輪郭の図３における中央部が、図示の如く半円形状に形成されており、この半円の直径は概ね前記の幅Ｌ程度であるため、フェース面の中央領域の上縁湾曲ラインと相まって、打球方向に合わせ易い。また、図３の平面視におけるヘッド１０の中央領域１６Ｃは凹部となっていると共に、そのトウ部寄り部位１６Ｔとヒール部寄り部位１６Ｈとに重量部を設けており、この構造によって、ヘッドの重心を通る上下方向軸線回りの慣性モーメントを増大させ、ボールをフェース面の中央位置ＣＬからトウ側やヒール側に離れた部位でパットしても、それによるヘッド回転が生じ難くして、正確なパットができるように構成している。更には、図４に現れているように、前記の半円形状部の肉厚を前記凹部１６Ｃの底部に比較して厚肉化しているので、更に上記のヘッド回転を起こし難くしている。
【００１４】
次に、図５と図６は本発明に係る第２の形態例のヘッドを有するパターの図であり、夫々、図１と図３に対応する。第１の形態例と異なる事項を説明する。まず、中央領域１２の上縁１２Ｕが、傾斜した２つの直線ライン１２Ｕ１，１２Ｕ２からなる。また、トウ部寄り領域１４の上縁１４Ｕは、前記上縁１２Ｕに連続する水平ライン１４Ｕ１と、これに続く傾斜ライン１４Ｕ２と、これに続く水平ライン１４Ｕ３とからなる。この上縁１４Ｕは第１形態例の上縁と同様に、２点鎖線で示すように１本の傾斜ライン１４Ｕ２’としてもよく、また図５の実線のように複数に折れ曲がった傾斜ラインとしてもよい。ヒール部寄り領域も同様である。このように、中央部領域の上縁１２Ｕは、その領域全体に亘る滑らかな曲線のみならず、中央位置ＣＬにおいては折れ曲がっていてもよく、その前後のライン１２Ｕ１，１２Ｕ２は直線に限らず曲線でもよい。要は、既述の距離が中央位置から漸次滑らかに短くなっていればよい。
【００１５】
また、上縁１４Ｕと上縁１４Ｕ’も、実線で図５にも示すように、直線や曲線によって、必ずしも中央領域の上縁１２Ｕの端に連続して直ちに漸次距離が大きくなる傾斜状に構成されていなくてもよく、距離一定の領域１４Ｕ１，１４Ｕ３等が存在してもよい。この距離一定の領域は、上縁１４Ｕと上縁１４Ｕ’の、夫々の領域の何処に存在してもよい。
【産業上の利用可能性】
【００１６】
本発明は、ゴルフクラブのパターに利用できる。
【図面の簡単な説明】
【００１７】
【図１】図１は本発明に係るパターの正面図である。
【図２】図２は図１のパターの側面図である。
【図３】図３は図１のパターの平面図である。
【図４】図４は図１の矢視線Ｄ−Ｄによる断面図である。
【図５】図５はパターの第２形態例の正面図である。
【図６】図６は図５のパターの平面図である。
【符号の説明】
【００１８】
１０                      ヘッド
１０Ｂ                    バック部
１０Ｆ                    フェース面
１０Ｈ                    ヒール部
１０Ｔ                    トウ部
１２                      中央領域
１２Ｕ                    中央領域の上縁
１４                      トウ部寄り領域
１４Ｕ                    トウ部寄り領域の上縁
１４’                    ヒール部寄り領域
１４Ｕ’                  ヒール部寄り領域の上縁
ＣＬ                      中央位置
α                        ロフト角
【図１】
2007260202.tif 000003
【図２】
2007260202.tif 000004
【図３】
2007260202.tif 000005
【図４】
2007260202.tif 000006
【図５】
2007260202.tif 000007
【図６】
2007260202.tif 000008